(57)【要約】【課題】従来の海洋生物標本撮影装置の構造を画期的に改善して運航中の船舶内でも海洋生物標本を動きなしに容易に固定し、海洋生物標本の撮影時に乱反射を防止して事実的かつ生き生きした標本撮影が可能な海洋生物標本撮影装置及び方法を提供する。【解決手段】本発明による海洋生物標本撮影装置１は、中央に円形の穴が開口されている支持台１００と、上部が開放された円筒状であり、下端の周りが支持台１００の穴の周りに支持され、内部に水と海洋生物標本Ｓが受容される載物台２００と、上部が開放された円筒状であり、下面が載物台２００に受容された水の表面を圧迫して海洋生物標本Ｓを固定するように載物台２００の上部から挿入され、外側面が載物台２００の内側面と接触・結合する蓋３００と、載物台２００の側面に向けて光を照射する照明灯４００と、載物台２００の上方に設けられたカメラ５００と、を含む。【選択図】  図３
2010039457.tif 000002
【特許請求の範囲】
【請求項１】
中央に円形の穴が開口されている支持台と、
上部が開放された円筒状であり、下端の周りが前記支持台の穴の周りに支持され、内部に水と海洋生物標本が受容される載物台と、
上部が開放された円筒状であり、下面が前記載物台に受容された水の表面を圧迫して前記海洋生物標本が固定されるように前記載物台の上部から挿入され、外側面が前記載物台の内側面と接触・結合する蓋と、
前記載物台の側面に向けて光を照射する照明灯と、
前記載物台の上方に設けられたカメラと、
を含むことを特徴とする海洋生物標本撮影装置。
【請求項２】
前記支持台の下方に設けられ、前記支持台の穴より大きい単色の背景板をさらに含むことを特徴とする請求項１記載の海洋生物標本撮影装置。
【請求項３】
前記カメラを上下にスライド自在に支持するスタンドをさらに含むことを特徴とする請求項１記載の海洋生物標本撮影装置。
【請求項４】
前記載物台に前記蓋を挿入するときに水が溢れないように、前記載物台の外側面の上端の周りに沿って環状に突出した水溢れ防止部材をさらに含むことを特徴とする請求項１記載の海洋生物標本撮影装置。
【請求項５】
前記載物台は一方の下端に入水口及びもう一方の下端に出水口がそれぞれ貫通・形成され、
水が受容され、前記出水口と連結する貯蔵槽と、
前記貯蔵槽から前記入水口へ水を供給するポンプと、
をさらに含むことを特徴とする請求項１記載の海洋生物標本撮影装置。
【請求項６】
前記出水口及び貯蔵槽の間に設けられたろ過機をさらに含むことを特徴とする請求項５記載の海洋生物標本撮影装置。
【請求項７】
前記載物台の内側面及び蓋の外側面にねじ山がそれぞれ形成されて前記載物台及び蓋がねじ結合されていることを特徴とする請求項１乃至６のいずれか一項に記載の海洋生物標本撮影装置。
【請求項８】
前記載物台及び蓋のそれぞれは、下面が透明であり、側面が半透明であることを特徴とする請求項１乃至６のいずれか一項に記載の海洋生物標本撮影装置。
【請求項９】
上部が開放された円筒状の載物台の内部に水と海洋生物標本を投入する生物標本投入ステップと、
上部が開放された円筒状の蓋の下面が前記載物台に受容された水の表面を圧迫して前記海洋生物標本を固定するように、前記載物台の上部から前記蓋を挿入させて前記蓋の外側面が前記載物台の内側面と接触・結合する生物標本固定ステップと、
前記載物台の側面に向けて照明灯を用いて光を照射する照明灯照射ステップと、
前記載物台の上方に設けられたカメラを用いて前記海洋生物標本を撮影する写真撮影ステップと、
を含むことを特徴とする海洋生物標本撮影方法。
【発明の詳細な説明】
【技術分野】
【０００１】
本発明は、従来の海洋生物標本撮影装置の構造を画期的に改善して運航中の船舶内でも海洋生物標本を動くことなく容易に固定し、海洋生物標本の撮影時に乱反射が発生せずリアルにかつ生き生きした標本撮影が可能な海洋生物標本撮影装置及び方法に関する。
【背景技術】
【０００２】
魚類分類学において、魚類の標本を写真撮影することは、標本の特徴、形質及び色の記録に大事な役割を果たす。この中でも、魚類の色は多くの魚類における種分類で極めて有用である。魚類の明るい色は、魚が死ぬか固定した後にすぐ消える。成魚のカラー写真は多く報告されているが、仔稚魚と幼魚のカラー写真による報告はめったにないことが現実である。これは、仔稚魚や幼魚が成魚より取り扱いにくく弱いからである。
したがって、水槽の中に海洋生物標本を入れた状態で写真撮影すべきであり、研究所へ海洋生物標本を運ぶ前に航海中の船舶内で写真撮影しなければ、海洋生物標本の特徴をリアルにかつ生き生きとした状態に表現できない。
【０００３】
図１は従来の海洋生物標本撮影装置の例を示した斜視図であり、図２は図１の装置の側断面図である。
図１及び図２に示したように、従来の海洋生物標本撮影装置１は、中央に円形の穴１５が開口されている支持台１０と、上部が開放された円筒状であり、下端の周りが支持台１０の穴１５の周りに支持され、内部に水Ｗと海洋生物標本Ｓが受容される水槽２０と、水槽２０の側面に向けて光を照射する照明灯３０と、水槽２０の上方に設けられたカメラ４０と、を含む。
図示したように、この海洋生物標本撮影装置１においては、水槽２０の内部に受容された海洋生物標本Ｓが水Ｗに浮遊した状態で写真撮影を行え、図面には示していないが、海洋生物標本Ｓを水槽２０の内部に設けられた針や吸引機を用いて固定させて写真撮影することもできる。
【発明の開示】
【発明が解決しようとする課題】
【０００４】
上述した従来の海洋生物標本撮影装置は、水槽内に海洋生物標本を浮遊させたまま、または針や吸引機を用いて海洋生物標本を撮影する場合、針や吸引機が一緒に撮影されることがあり、船舶の運航途中に発生する波によるピッチング及びローリングにより海洋生物標本の固定が解除または揺動することにより、鮮やかな写真撮影が困難であるという問題がある。
【０００５】
上述した問題点を解決するための本発明の目的は、従来の海洋生物標本撮影装置の構造を画期的に改善して運航中の船舶内でも海洋生物標本を動くことなく容易に固定し、海洋生物標本の撮影時に乱反射を防止してリアルにかつ生き生きとした標本撮影が可能な海洋生物標本撮影装置及び方法を提供することである。
本発明のその他の目的、特定の長所及び新規な特徴は、添付した図面、以下の詳細な説明及びその好適な実施形態から明らかになる。
【課題を解決するための手段】
【０００６】
前記目的を達成するための本発明による海洋生物標本撮影装置は、中央に円形の穴が開口されている支持台と、上部が開放された円筒状であり、下端の周りが前記支持台の穴の周りに支持され、内部に水と海洋生物標本が受容される載物台と、上部が開放された円筒状であり、下面が前記載物台に受容された水の表面を圧迫して前記海洋生物標本が固定されるように前記載物台の上部から挿入され、外側面が前記載物台の内側面と接触・結合する蓋と、前記載物台の側面に向けて光を照射する照明灯と、前記載物台の上方に設けられたカメラと、を含む。
【０００７】
また、本発明による海洋生物標本撮影装置は、前記支持台の下方に設けられ、前記支持台の穴より大きい単色の背景板をさらに含むことを特徴とする。
また、本発明による海洋生物標本撮影装置は、前記カメラを上下にスライド自在に支持するスタンドをさらに含むことを特徴とする。
また、本発明による海洋生物標本撮影装置は、前記載物台に前記蓋を挿入するときに水が溢れないように、前記載物台の外側面の上端の周りに沿って環状に突出した水溢れ防止部材をさらに含むことを特徴とする。
また、本発明による海洋生物標本撮影装置において、前記載物台は一方の下端に入水口及びもう一方の下端に出水口がそれぞれ貫通・形成され、水が受容され、前記出水口と連結する貯蔵槽と、前記貯蔵槽から前記入水口へ水を供給するポンプと、をさらに含むことを特徴とする。
また、本発明による海洋生物標本撮影装置は、前記出水口及び貯蔵槽の間に設けられたろ過機をさらに含むことを特徴とする。
また、本発明による海洋生物標本撮影装置において、前記載物台の内側面及び蓋の外側面にねじ山がそれぞれ形成されて前記載物台及び蓋がねじ結合することを特徴とする。
さらにまた、本発明による海洋生物標本撮影装置において、前記載物台及び蓋のそれぞれは、下面が透明であり、側面が半透明であることを特徴とする。
【０００８】
一方、本発明による海洋生物標本撮影方法は、上部が開放された円筒状の載物台の内部に水と海洋生物標本を投入する生物標本投入ステップと、上部が開放された円筒状の蓋の下面が前記載物台に受容された水の表面を圧迫して前記海洋生物標本を固定するように、前記載物台の上部から前記蓋を挿入させて前記蓋の外側面が前記載物台の内側面と接触・結合する生物標本固定ステップと、前記載物台の側面に向けて照明灯を用いて光を照射する照明灯照射ステップと、前記載物台の上方に設けられたカメラを用いて前記海洋生物標本を撮影する写真撮影ステップと、を含む。
【発明の効果】
【０００９】
上述したように、本発明による海洋生物標本撮影装置及び方法は、円筒状の載物台及び蓋の間に水と海洋生物標本を圧迫・固定することにより、運航中の船舶内でも海洋生物標本を動くことなく容易に固定し、海洋生物標本の撮影時に乱反射を防止してリアルにかつ生き生きとした標本撮影が可能である。
また、本発明による海洋生物標本撮影装置は、水溢れ防止部材を通じて載物台に蓋を挿入しても、載物台の外部へ水が溢れることを防止することができる。
【００１０】
また、貯蔵槽及びポンプを通じて載物台に受容される水を入水及び出水させて海洋生物標本の写真撮影を迅速かつ連続的に行い、ろ過機を通じて水の循環が続いて行われても綺麗で鮮明な画像を得ることができる。
また、載物台及び蓋がねじ結合することにより、海洋生物標本の厚さに応じて上下にスライド移動させて容易に固定でき、容易な結合及び分離が可能である。
【発明を実施するための最良の形態】
【００１１】
以下、添付図面を参照して本発明による海洋生物標本撮影装置の好ましい実施形態を詳しく説明する。
図３は本発明の海洋生物標本撮影装置の一実施形態を示した斜視図であり、図４は図３の実施形態の側断面図であり、図５は図３の実施形態のうち、支持台、載物台及び蓋の分解斜視図であり、図６は本発明の海洋生物標本撮影装置の他の実施形態を示した斜視図であり、図７は図６の実施形態の側断面図である。
【００１２】
本発明による海洋生物標本撮影装置１は、図３乃至図７に示したように、支持台１００、載物台２００、蓋３００、照明灯４００及びカメラ５００を含んでなり、背景板６００、スタンド７００、水溢れ防止部材８００、貯蔵槽９１０、ポンプ９２０及びろ過機９３０をさらに含むことができる。
【００１３】
支持台１００は、図３乃至図５に示したように、後述する載物台２００を支持するためのものであり、中央に円形の穴１５０が開口している。支持台１００は一般的な合成樹脂材質であり、載物台２００を支持するように広く製作されることが好ましく、中央に開口されている円形の穴１５０は載物台２００の下面に物体が直接触れないようにして、写真を撮影するときに光の歪み現象を防止する。
【００１４】
載物台２００は、図３乃至図５に示したように、上部が開放された円筒状であり、下端の周りが支持台１００の穴１５０の周りに支持され、内部に水Ｗと海洋生物標本Ｓが受容される。また、蓋３００は、上部が開放された円筒状であり、下面が載物台２００に受容された水Ｗの表面を圧迫して海洋生物標本Ｓを固定するように載物台２００の上部から挿入され、外側面が載物台２００の内側面と接触・結合する。すなわち、図５に示したように、蓋３００が載物台２００の内部に挿入されることにより、蓋３００の下面が載物台２００に受容された水Ｗを圧迫するとともに、海洋生物標本Ｓを固定させる。したがって、航海中の船舶内でも水Ｗと海洋生物標本Ｓが外部の揺れにかかわらず、固定状態を維持することができる。この際、蓋３００を載物台２００に挿入するとき、載物台２００の内部に受容された水が蓋３００の外側面と載物台２００の内側面に沿って上昇して載物台２００の外へ溢れることがある。このような水溢れを防止するように、水溢れ防止部材８００を設ける。水溢れ防止部材８００は、載物台２００に蓋３００を挿入するとき、水が溢れないように、載物台２００の外側面の上端の周りに沿って環状に突出する。一方、載物台２００の内側面及び蓋３００の外側面にねじ山２５０がそれぞれ形成されて載物台２００及び蓋３００はねじ結合する。これにより、載物台２００に対して蓋３００の高さが調節でき、海洋生物標本Ｓの様々な厚さの変化に対しても蓋３００の高さ調整だけでも容易に固定できる。
【００１５】
載物台２００の内部に受容される海洋生物標本Ｓを撮影した後、他の海洋生物標本Ｓを撮影すべき必要性があり、載物台２００に受容された水Ｗが沈殿物などにより汚れる場合、綺麗な水Ｗに換える必要がある。載物台２００の内部に受容される水Ｗの交替を便利にするために、図６及び図７に示したように、貯蔵槽９１０及びポンプ９２０を設ける。この場合、載物台２００は、一方の下端に入水口２１０及びもう一方の下端に出水口２２０がそれぞれ貫通・形成される。すなわち、載物台２００の出水口２２０を通じて使用した水Ｗを排出し、入水口２１０を通じて綺麗な水Ｗを再度供給する。貯蔵槽９１０は、水が受容され、出水口２２０と連結し、ポンプ９２０は貯蔵槽９１０から入水口２１０へ水を供給する。貯蔵槽９１０は出水口２２０と連結する使用した水を入れる空間と、入水口２１０に水を供給する綺麗な水を入れる空間とに区切りできる。また、貯蔵槽９１０は一つの空間を有するが、出水口２２０から排出された水をろ過した後に再使用できる。このために、ろ過機９３０を設ける。ろ過機９３０は出水口２２０及び貯蔵槽９１０の間に設けられる。
【００１６】
照明灯４００は、載物台２００の側面に向けて光を照射するように設けられる。好ましくは、複数の照明灯４００が備えられて載物台２００の側面の周りに沿って対称的に配置されることにより、いずれか一方向から照射される光により海洋生物標本Ｓの影が発生しないようにすべきである。より好ましくは、照明灯４００をリング形状に製作して載物台２００の側面の周りに設けることである。照明灯４００は白熱灯、蛍光灯またはＬＥＤなどのいずれのものを使用してもよいが、光の直進性を利用するよりは、光が拡散して照射されるように設けることが大事である。照明灯４００により照射された光がより拡散して海洋生物標本Ｓに照射されるように、載物台２００の側面及び蓋３００の側面は半透明なものがよい。しかしながら、この場合でも、載物台２００及び蓋３００の下面はそれぞれ透明であるべきであるが、これは載物台２００の下面及び蓋３００の下面の間に固定された海洋生物標本Ｓを鮮やかに撮影するためである。
【００１７】
カメラ５００は載物台２００の上方に設けられて載物台２００及び蓋３００の間に固定された海洋生物標本Ｓを撮影する。載物台２００に水を受容した後、蓋３００で固定させることは、海洋生物標本Ｓのみを撮影する場合、水気がある状態で照明灯４００またはカメラ５００から発生するフラッシュにより、海洋生物標本Ｓの表面が不均一であることから乱反射が発生して高品質の写真撮影を行えないからである。すなわち、水Ｗの中に海洋生物標本Ｓを固定したまま撮影することにより、リアルにかつ生き生きとした状態で高品質の写真撮影を行える。カメラ５００は一般的な海洋生物標本Ｓの撮影のためのカメラであって、カメラ５００に対する技術は従来の技術で実現が可能なので、その詳細な説明は省略する。カメラ５００に内装されたズームインまたはズームアウト機能のみで、海洋生物標本Ｓの焦点が合わせにくい場合があり、遠くからまたは近くで撮影するためにカメラ５００を上下にスライド支持するようにスタンド７００を設けることが好ましい。
【００１８】
背景板６００は支持台１００の下方に設けられ、支持台１００の穴１５０より大きい単色として製作される。カメラ５００を通じて海洋生物標本Ｓを直接撮影する場合、支持台１００の下方に背景が形成されるが、写真撮影の後にコンピュータプログラムを用いて背景色を自在に変えることができる。しかしながら、最初から背景板６００を置いたまま、カメラ５００で写真撮影をすれば、コンピュータプログラムを用いて背景色を変える必要がない。このような背景板６００は単色として製作されることが一般的であり、通常は白色または黒色の背景板６００を主に用いる。背景板６００が支持台１００の穴１５０より大きくなければ、支持台１００の穴１５０の周りに支持される載物台２００に受容された海洋生物標本Ｓを撮影するとき、載物台の大きさだけの背景板６００をカバーできない。
【００１９】
以下、本発明による海洋生物標本撮影装置による撮影過程を本発明による海洋生物標本撮影方法の好ましい実施形態とともに、図６乃至図８を参照して説明する。但し、本発明による海洋生物標本撮影装置の各構成要素に対する重複した説明は省略する。
【００２０】
図８は、本発明の海洋生物標本撮影方法の一実施形態を示したフローチャートである。
本発明による海洋生物標本撮影方法は、図８に示したように、生物標本投入ステップＳ１０１、生物標本固定ステップＳ２０１、照明灯照射ステップＳ３０１及び写真撮影ステップＳ４０１を含む。
【００２１】
生物標本投入ステップＳ１０１では、図６及び図７に示したように、上部が開放された円筒状の載物台２００の内部に水Ｗと海洋生物標本Ｓを投入する。この際、載物台２００は中央に円形の穴が開口されている支持台１００に固定された状態である。
生物標本固定ステップＳ２０１では、上部が開放された円筒状の蓋３００の下面が載物台２００に受容された水Ｗの表面を圧迫して海洋生物標本Ｓを固定するように、載物台２００の上部から蓋３００を挿入させて蓋３００の外側面が載物台２００の内側面と接触・結合する。これにより、載物台２００の下面及び蓋３００の下面の間に水Ｗと共に海洋生物標本Ｓを固定した状態を維持し、運航中の船舶のローリング及びピッチングに対してもその固定した状態の維持が妨げられない。
【００２２】
照明灯照射ステップＳ３０１では、載物台２００の側面に向けて照明灯４００を用いて光を照射する。照明灯４００の光を載物台２００の側面に向けて照射するとき、拡散光となるように設けて海洋生物標本Ｓに影が発生しないようにする。
写真撮影ステップＳ４０１では、載物台２００の上方に設けられたカメラ５００を用いて海洋生物標本Ｓを撮影する。この際、載物台２００の下方に白色または黒色の背景板６００を設けて写真撮影を行うようにする。
【００２３】
上述したように、図面に示した本発明の実施形態は、本発明の技術的思想を限定するよりは、説明するためのものであり、これらの実施形態により本発明の技術思想の範囲が限定されることとはない。本発明の保護範囲は、特許請求の範囲によって解釈されるべきであり、本発明の技術分野における通常の知識を有する者は、本発明の技術的思想を様々な形態に改良及び変更することが可能である。したがって、このような改良及び変更は、通常の知識を有する者に明らかである限り、本発明の保護範囲に属する。
【図面の簡単な説明】
【００２４】
【図１】従来の海洋生物標本撮影装置の例を示した斜視図である。
【図２】図１の装置の側断面図である。
【図３】本発明の海洋生物標本撮影装置の一実施形態を示した斜視図である。
【図４】図３の実施形態の側断面図である。
【図５】図３の実施形態のうち、支持台、載物台及び蓋の分解斜視図である。
【図６】本発明の海洋生物標本撮影装置の他の実施形態を示した斜視図である。
【図７】図６の実施形態の側断面図である。
【図８】本発明の海洋生物標本撮影方法の一実施形態を示したフローチャートである。
【符号の説明】
【００２５】
１  海洋生物標本撮影装置
Ｗ  水
Ｓ  海洋生物標本
１００  支持台
１５０  穴
２００  載物台
２１０  入水口
２２０  出水口
２５０  ねじ山
３００  蓋
４００  照明灯
５００  カメラ
６００  背景板
７００  スタンド
８００  水溢れ防止部材
９１０  貯蔵槽
９２０  ポンプ
９３０  ろ過機
【図１】
2010039457.tif 000003
【図２】
2010039457.tif 000004
【図３】
2010039457.tif 000005
【図４】
2010039457.tif 000006
【図５】
2010039457.tif 000007
【図６】
2010039457.tif 000008
【図７】
2010039457.tif 000009
【図８】
2010039457.tif 000010